(57)【要約】【課題】手ブレが少ない安定した状態で撮影を行い得るようにした、カメラ、カメラの手ブレ状態表示方法、及びプログラムを提供する。【解決手段】被写体画像の部分画像を切出し、切出された部分画像の輪郭を抽出し、抽出された部分画像の輪郭を表示部の画面上のウインドウ内にスルー表示する。図示の例ではスルー画像９０の部分画像（この例では橋脚９１の先端部）の輪郭の拡大画像９７（スルー画像）をウインドウ９９に表示すると全体画像が複雑であったり、同じような画像の集合であったりしても、輪郭９７とスルー画像の他の部分との比較が簡単にできるので、撮影者は手ブレ等のブレの有無を容易に視認できる。更に、輪郭を太くしたり、黒色表示したりして強調表示するとスルー画像の他の部分との比較がしやすくなる。【選択図】  図１２
2010279051.tif 000002
【特許請求の範囲】
【請求項１】
被写体を撮影して画像を得る撮像部と、画像を表示する表示部と、撮影画像を記録する記録メモリと、を備えたカメラであって、
前記撮像部によって取得された被写体画像を前記表示部の画面上にスルー表示するスルー画像表示手段と、
前記被写体画像の部分画像を切出す処理と、前記被写体画像の輪郭を抽出する処理とを行う処理実行手段と、
前記処理実行手段によって処理された部分画像の輪郭を前記表示部の画面上のウインドウ内にスルー表示する輪郭表示手段と、
を備えたことを特徴とするカメラ。
【請求項２】
更に、画像を拡大する画像拡大手段を更に備え、
前記画像拡大手段は、前記処理実行手段による前記被写体画像の部分画像を切出す処理の後に、画像を拡大し、その後、前記被写体画像の部分画像の輪郭を抽出する処理を行う、
ことを特徴とする請求項１に記載のカメラ。
【請求項３】
更に、画像を拡大する画像拡大手段を更に備え、
前記画像拡大手段は、前記処理実行手段によって、処理された画像を拡大し、
前記輪郭表示手段は、前記画像拡大手段によって拡大された画像を前記表示部の画面上のウインドウ内にスルー表示する、
ことを特徴とする請求項１に記載のカメラ。
【請求項４】
更に、前記処理実行手段によって処理される画像部分を指定する処理部分指定手段を備えることを特徴とする請求項１乃至３のいずれか１項に記載のカメラ。
【請求項５】
更に、前記輪郭表示手段によって表示される画面上の前記ウインドウの表示位置を指定するウインドウ表示位置指定手段を備えることを特徴とする請求項１乃至４のいずれか１項に記載のカメラ。
【請求項６】
更に、前記輪郭表示手段によって表示される輪郭を強調する強調手段を備え、
前記前記輪郭表示手段は、前記強調手段によって強調された部分画像の輪郭を前記表示部の画面上のウインドウ内にスルー表示する、
ことを特徴とする請求項1乃至５のいずれか１項に記載のカメラ。
【請求項７】
前記強調手段は、前記輪郭表示手段によって表示される部分画像の輪郭を太くするように強調することを特徴とする請求項６に記載のカメラ。
【請求項８】
前記強調手段は、前記輪郭表示手段によって表示される部分画像の輪郭を強調される色に変換するように強調することを特徴とする請求項６又７に記載のカメラ。
【請求項９】
被写体を撮影して画像を得る撮像部と、画像を表示する表示部と、撮影画像を記録する記録メモリと、を備えたカメラにおける手ブレ状態表示方法であって、
前記撮像部によって取得された被写体画像を前記表示部の画面上にスルー表示するスルー画像表示ステップと、
前記被写体画像の部分画像を切出す処理と、前記被写体画像の輪郭を抽出する処理とを行う処理実行ステップと、
前記処理実行ステップによって処理された部分画像の輪郭を前記表示部の画面上のウインドウ内にスルー表示する輪郭表示ステップと、
を備えたことを特徴とするカメラの手ブレ状態表示方法。
【請求項１０】
被写体を撮影して画像を得る撮像部と、画像を表示する表示部と、撮影画像を記録する記録メモリと、を備えたカメラのコンピュータに、
前記撮像部によって取得された被写体画像を前記表示部の画面上にスルー表示するスルー画像表示機能と、
前記被写体画像の部分画像を切出す処理と、前記被写体画像の輪郭を抽出する処理とを行う処理実行機能と、
前記処理実行機能によって処理された部分画像の輪郭を前記表示部の画面上のウインドウ内にスルー表示する輪郭表示機能と、
を実現させるためのプログラム。
【発明の詳細な説明】
【技術分野】
【０００１】
本発明は、カメラで撮影時に生じる手ブレ状態を検出して表示することにより手ブレ防止を図るためのカメラ、カメラの手ブレ状態表示方法、及びプログラムに関する。
【背景技術】
【０００２】
三脚等のカメラ固定装置でカメラを固定せずにカメラを持って撮影を行うとシャッター操作の際に手ブレが生じ、ピンぼけ写真が撮影される可能性が高い。
【０００３】
手ブレを防止する技術として、手ブレを検知して警告表示などを出力し、しっかりカメラを保持するよう撮影者を促すものがある。
このようなカメラとして、加速度センサの出力が所定値より大きいことを判定する第１判定手段と、画像信号が所定量以上に変化した時を判定する第２判定手段とを設け、第１、第２の判定手段の判定結果に従って警告を行うカメラがある（例えば、特許文献１参照）。
【０００４】
また、シャッター操作時の撮影画像を保存すると共に、シャッター操作前後の画像を自動的に取得し、シャッター操作時の画像と比較して手ブレを検出したとき警告するように構成した電子スチルカメラがある（例えば、特許文献２参照）。
【０００５】
また、静止画を撮像した際の手ブレの有無を確認しつつ撮像を行うことのできる撮像装置が知られている（例えば、特許文献３参照）。この撮像装置では、シャッター操作を行って静止画を撮像したあと、確認ボタンを操作すると撮像された画像が拡大処理されてＬＣＤに表示される。
【先行技術文献】
【特許文献】
【０００６】
【特許文献１】特開２００３−１４０２１９号公報
【特許文献２】特許第２８７０７７２号
【特許文献３】特開２００１−１７７７５３号公報
【発明の概要】
【発明が解決しようとする課題】
【０００７】
上記特許文献１では所定量以上のブレが生ずるたびに警告表示するので、撮影者はそのたびにカメラを持ち直して安定させることができるが、ブレのない画像を得るにはシャッター操作時にブレが生じなければよいので、シャッター操作時以外に警告が出されるたびにカメラを持ちなおすことは煩わしいという課題があった。
【０００８】
また、上記特許文献２に開示の技術ではシャッター操作時に手ブレが生じた場合そのブレを検出して警告するので、その場で撮り直しができるという利点があるが、未然に手ブレを防止することはできないといった課題があった。
【０００９】
また、上記特許文献３に開示の技術では、撮影者はＬＣＤに拡大表示された記録画像を視認することにより手ブレの有無を確認しつつ撮影をおこなうことができるが、記録画像を確認するので手ブレがあった場合には再度撮像を行わなければならないし、再度撮像を行っても手ブレのない画像を撮像できる保証がないといった課題があった。
【００１０】
本発明は、上記従来技術の課題を解決するためになされたものであり、手ブレが少ない安定した状態で撮影を行い得るようにした、カメラ、カメラの手ブレ状態表示方法、及びプログラムの提供を目的とする。
【課題を解決するための手段】
【００１１】
上記課題を解決するために、請求項１に記載の発明では、  被写体を撮影して画像を得る撮像部と、画像を表示する表示部と、撮影画像を記録する記録メモリと、を備えたカメラであって、
前記撮像部によって取得された被写体画像を前記表示部の画面上にスルー表示するスルー画像表示手段と、
前記被写体画像の部分画像を切出す処理と、前記被写体画像の輪郭を抽出する処理とを行う処理実行手段と、
前記処理実行手段によって処理された部分画像の輪郭を前記表示部の画面上のウインドウ内にスルー表示する輪郭表示手段と、
を備えたことを特徴とするカメラを提供する。
【００１２】
また、請求項２に記載のカメラでは、更に、画像を拡大する画像拡大手段を更に備え、
前記画像拡大手段は、前記処理実行手段による前記被写体画像の部分画像を切出す処理の後に、画像を拡大し、その後、前記被写体画像の部分画像の輪郭を抽出する処理を行う、
ことを特徴とする請求項１に記載のカメラを提供する。
【００１３】
また、請求項３に記載の発明は、更に、画像を拡大する画像拡大手段を更に備え、
前記画像拡大手段は、前記処理実行手段によって、処理された画像を拡大し、
前記輪郭表示手段は、前記画像拡大手段によって拡大された画像を前記表示部の画面上のウインドウ内にスルー表示する、
ことを特徴とする請求項１に記載のカメラを提供する。
【００１４】
また、請求項４記載の発明では、更に、前記処理実行手段によって処理される画像部分を指定する処理部分指定手段を備えることを特徴とする請求項１乃至３のいずれか１項に記載のカメラを提供する。
【００１５】
また、請求項５に記載の発明では、更に、前記輪郭表示手段によって表示される画面上の前記ウインドウの表示位置を指定するウインドウ表示位置指定手段を備えることを特徴とする請求項１乃至４のいずれか１項に記載のカメラを提供する。
【００１６】
また、請求項６に記載の発明では、更に、前記輪郭表示手段によって表示される輪郭を強調する強調手段を備え、
前記前記輪郭表示手段は、前記強調手段によって強調された部分画像の輪郭を前記表示部の画面上のウインドウ内にスルー表示する、
ことを特徴とする請求項1乃至５のいずれか１項に記載のカメラを提供する。
【００１７】
また、請求項７に記載の発明では、前記強調手段は、前記輪郭表示手段によって表示される部分画像の輪郭を太くするように強調することを特徴とする請求項６に記載のカメラを提供する。
【００１８】
また、請求項８に記載の発明では、前記強調手段は、前記輪郭表示手段によって表示される部分画像の輪郭を強調される色に変換するように強調することを特徴とする請求項６又７に記載のカメラを提供する。
【００１９】
また、請求項９に記載の発明では、被写体を撮影して画像を得る撮像部と、画像を表示する表示部と、撮影画像を記録する記録メモリと、を備えたカメラにおける手ブレ状態表示方法であって、
前記撮像部によって取得された被写体画像を前記表示部の画面上にスルー表示するスルー画像表示ステップと、
前記被写体画像の部分画像を切出す処理と、前記被写体画像の輪郭を抽出する処理とを行う処理実行ステップと、
前記処理実行ステップによって処理された部分画像の輪郭を前記表示部の画面上のウインドウ内にスルー表示する輪郭表示ステップと、
を備えたことを特徴とするカメラの手ブレ状態表示方法を提供する。
【００２０】
また、請求項１０に記載の発明では、被写体を撮影して画像を得る撮像部と、画像を表示する表示部と、撮影画像を記録する記録メモリと、を備えたカメラのコンピュータに、
前記撮像部によって取得された被写体画像を前記表示部の画面上にスルー表示するスルー画像表示機能と、
前記被写体画像の部分画像を切出す処理と、前記被写体画像の輪郭を抽出する処理とを行う処理実行機能と、
前記処理実行機能によって処理された部分画像の輪郭を前記表示部の画面上のウインドウ内にスルー表示する輪郭表示機能と、
を実現させるためのプログラムを提供する。
【発明の効果】
【００２１】
本発明によれば、撮影者は手ブレを把握しやすい。従って、手ブレが生じないようにカメラをしっかり保持するなどして意識的にカメラを安定させることができる。
【図面の簡単な説明】
【００２２】
【図１】本発明に基づく手ブレ状態報知方法によるカメラの手ブレ状態表示の一実施例を示す図である。
【図２】本発明に基づく手ブレ状態報知方法によるカメラの手ブレ状態表示の他の実施例を示す図である。
【図３】本発明に基づく手ブレ状態報知方法によるカメラの手ブレ状態表示の他の実施例を示す図である。
【図４】本発明に係るカメラの一実施例としてのデジタルカメラの外観図である。
【図５】図４のデジタルカメラの電子回路構成の一実施例を示す図である。
【図６】デジタルカメラの手ブレ状態報知動作の一実施例を示すフローチャートである。
【図７】デジタルカメラの手ブレ状態報知動作の他の実施例を示すフローチャートである。
【図８】カメラの手ブレ成分の説明図である。
【図９】スルー画像の例を示す図である。
【図１０】スルー画像と共に部分画像の輪郭の拡大画像をウインドウ表示した例を示す図である。
【図１１】ブレ状態報知動作例を示すフローチャートである。
【図１２】スルー画像と共に部分画像の輪郭の拡大画像をウインドウ表示した例を示す図である。
【図１３】実施形態２の変形例におけるデジタルカメラの電子回路構成の一実施例を示す図である。
【図１４】実施形態２の変形例におけるブレ状態報知動作例を示すフローチャートである。
【図１５】実施形態３におけるブレ状態報知動作例を示すフローチャートである。
【発明を実施するための形態】
【００２３】
（実施形態１）
図１は、本発明に基づく手ブレ状態報知方法によるカメラの手ブレ状態表示の一実施例を示す図であり、手ブレ検出機能を備えたカメラにおいて、手ブレの１成分を時系列にモニタ画面５（図４）にグラフ表示した例を示す。
撮影時に撮影者はモニタ表示されるスルー画像を見てカメラ視野内に所望の被写体５１を収め、シャッターキー８（図４）を半押しし、オートフォーカスが終わると構図を確認してシャッターキー８を全押しする。撮影開始からスルー画像表示と略同時にブレ検出部３１（図５）により手ブレ量や方位（手ブレの方向）が検出され、手ブレ成分のうちの１成分がグラフ化手段（図６のステップＳ３〜Ｓ５、図７のステップＴ３及びＴ４、又はステップＴ６参照）によってグラフ化される。そして線グラフ（図１の例ではピッチ（PITCH）成分の線グラフ）５６としてグラフ表示欄５２内に表示される。図示の例では左から右に向かって時系列に線グラフ５６が展開し、グラフ表示欄５２の範囲を超えると最も古いものから順に消去され新しい手ブレ量が表示される（線グラフがグラフ表示欄５２の範囲を超えた場合、モニタ画面５上では、右から左にグラフが移動するように見える）。なお、グラフ表示欄５２の中心線５３は手ブレ０（ゼロ）を意味する。なお、表示するグラフは線グラフに限定されない。例えば、波状のグラフや折れ線グラフ若しくは棒グラフでもよく、線の太さや形状を変えてもよい。
【００２４】
このように、最もブレの生じやすい上下の手ブレ状態を時系列に表示するようにしたことにより、撮影者は生じやすい手ブレの推移を把握しやすいので撮影指示（シャッターキー８の全押し）直前までにデジタルカメラ１００の上下の手ブレが生じないようにカメラをしっかり保持するなどして意識的にデジタルカメラ１００を安定させることができる。つまり、前述した特許文献１の場合のように警告があるたびにカメラを構えなおすのではなくて、シャッターキー８を押す直前までに自発的にデジタルカメラ１００を安定させて手ブレを未然に防止できるので、撮影者は特許文献１の技術の場合のように煩わしさを感ずることがない。
【００２５】
なお、図１の例では１つの成分のみを表示したが、図２に示すように手ブレ量の３成分、つまり、ピッチ成分、ヨー（YAW）成分、及びロール（ROLL）成分を表示したり、図３に示すように２成分を表示するようにしてもよい。
ここで、図８に示すように、カメラ２００の横方向をＸ軸、縦方向をＹ軸、カメラを前面から背面に向かって貫く軸をＺ軸とするとき、ピッチとはＺ軸を中心としたＹ方向の動き（つまり、左右の上下動）であり、ヨーとはＹ軸を中心としたＺ方向の動き（つまり、左右の前後動）であり、ロールとはＸ軸を中心としたＹ方向の動き（つまり、前後の上下動）を意味する。
【００２６】
図２は、本発明に基づく手ブレ状態報知方法による手ブレ状態表示の一実施例を示す図であり、手ブレの３成分を時系列にモニタ画面５にグラフ表示した例を示す。
撮影開始からスルー画像表示と略同時にブレ検出部３１により手ブレ量や方位が検出され、３成分（ピッチ成分、ヨー成分、ロール成分）がグラフ化手段によってそれぞれグラフ化される。そして、それぞれ色の異なる線グラフ５６、５７、５８としてグラフ表示欄５２内に表示される。図示の例では左から右に向かって時系列に線グラフ５６、５７、５８が展開し、グラフ表示欄５２の範囲を超えると最も古いものから順に消去され新しい手ブレ量が表示される。
なお、図２の例では３つの線グラフを同一の表示欄に表示したが、画面５の左辺や右辺、或いは上辺に表示欄を設けてそれぞれ別々に表示するようにしてもよい（図３参照）。また表示欄の位置は周辺に限定されない。つまり、被写体の邪魔にならない位置に線グラフを表示するようにすればよい。また、表示するグラフは線グラフに限定されない。例えば、波状のグラフや折れ線グラフ若しくは棒グラフでもよく、線の太さや形状を変えてもよい。
【００２７】
このように、手ブレ状態を上下、左右、前後の３成分で時系列表示するようにしたことにより、撮影者は上下、左右、前後の手ブレの推移と大きさを把握しやすいので撮影指示直前までにデジタルカメラ１００の手ブレが生じないようにして意識的にデジタルカメラ１００を安定させることができる。また、図１の例と同様に、シャッターキー８を押す直前までに自発的にデジタルカメラ１００を安定させて手ブレを未然に防止できるので、撮影者は特許文献１の技術の場合のように煩わしさを感ずることがない。
【００２８】
図３は、本発明に基づく手ブレ状態報知方法による手ブレ状態表示の一実施例を示す図であり、手ブレの２成分を時系列にモニタ画面５にグラフ表示した例を示す。
撮影開始からスルー画像表示と略同時にブレ検出部３１により手ブレ量や方位が検出され、２成分（ピッチ成分及びヨー成分）がグラフ化手段によってそれぞれグラフ化される。そして線グラフ５６が横方向のグラフ表示欄５２内に表示され、線グラフ５７が縦方向のグラフ表示欄５３に表示される。図示の例では、グラフ表示欄５２の左から右に向かって時系列に線グラフ５７が展開し、グラフ表示欄５３の上から下に向かって時系列に線グラフ５６が展開する。グラフ表示欄５２、５３の範囲を超えるとそれぞれ最も古いものから順に消去され新しい手ブレ量が表示される。なお、各線グラフは異なる色で表示することが望ましい。また、表示するグラフは線グラフに限定されない。例えば、波状のグラフや折れ線グラフ若しくは棒グラフでもよく、線の太さや形状を変えてもよい。
なお、図３の例では２つの線グラフを別々の表示欄に表示したが、同一の表示欄に一緒に表示するようにしてもよい。また表示欄の位置は周辺に限定されない。つまり、被写体の邪魔にならない位置に線グラフを表示するようにすればよい。
【００２９】
このように、手ブレ状態を手ブレの生じやすいピッチとヨーの２成分で時系列に表示するようにしたことにより、撮影者は生じやすい手ブレの推移と大きさを把握できるので、撮影指示直前までにデジタルカメラ１００の手ブレが生じないようにして意識的にデジタルカメラ１００を安定させることができる。また、図１、２の例と同様に、シャッターキー８を押す直前までに自発的にデジタルカメラ１００を安定させて手ブレを未然に防止できるので、撮影者は特許文献１の技術の場合のように煩わしさを感ずることがない。
【００３０】
なお、上記図１〜図３の説明ではブレ検出部３１（図５）として手ブレ量及び方位を検出できる装置を用いた場合について説明したが、ブレ検出部３１（図５）を手ブレ量のみを検出できる簡易な装置（又は、プログラム）で構成した場合は、手ブレ量を時系列に表示するようにしてもよい。
【００３１】
図４は本発明に係るカメラの一実施例としてのデジタルカメラの外観図である。なお、図４（ａ）はデジタルカメラ１００の正面図、図４（ｂ）はカメラ内部の撮像部の構成例、図４（ｃ）は背面図である。
図４で、デジタルカメラ１００は図４（ａ）に示すように正面側にレンズ光学系の受光窓１、デジタルカメラを安定的に保持するためのグリップ部６及びストロボ発光部１０を備えている。また、図４（ａ）の符号７−１は正面内部に設けられている角度センサ／振動ジャイロ（Ｘ方向）を示し、符号７−２は角度センサ／振動ジャイロ（Ｙ方向）を示す。更に、Ｚ方向の角度センサ／振動ジャイロを設けるようにしてもよい。これら角度センサ／振動ジャイロは図５に示すブレ検出部３１を構成する。
【００３２】
レンズ光学系１２の受光窓１から入射する光は図４（ｂ）に示すようにカメラ内部に設けられた電動ミラー・ジンバル部１２−１で反射されてレンズ群１２−２に入射し、被写体光像がレンズ群１２−２を介してＣＣＤ（撮像素子）１３上に結像する。
【００３３】
また、デジタルカメラ１００の背面部には図４（ｃ）に示すようにモードの切り換えを行うためのモード選択キー２、カーソルキー３、セットキー４等のキー、及び液晶モニタ画面５が設けられている。また、上面にはシャッターキー８、及び電源キー９が設けられ、図示しないが側部にはパーソナルコンピュータ（以下、パソコン）やモデム等の外部装置とＵＳＢケーブルに接続する場合に用いるＵＳＢ端子接続部が設けられている。なお、更に、正面等に赤外線通信やブルートゥース等の近接通信用の光送受口や無線通信用アンテナ、ＧＰＳ受信アンテナを設けるようにしてもよい。
【００３４】
図５は図４のデジタルカメラ１００の電子回路構成の一実施例を示す図である。
図５で、デジタルカメラ１００は、基本モードである撮影モードにおいて自動合焦（オートフォーカス（ＡＦ））機能を備え、合焦位置や絞り位置を移動させるモータ１１、撮影レンズ２を構成するレンズ光学系１２、撮像素子であるＣＣＤ１３、タイミング発生器（ＴＧ）１４、垂直ドライバ１５、サンプルホールド回路（Ｓ／Ｈ）１６、Ａ／Ｄ変換器１７、カラープロセス回路１８、ＤＭＡ（Direct Memory Access）コントローラ１９、ＤＲＡＭインターフェイス（Ｉ／Ｆ）２０、ＤＲＡＭ２１、制御部２２、ＶＲＡＭコントローラ２３、ＶＲＡＭ２４、デジタルビデオエンコーダ２５、表示部２６、ＪＰＥＧ回路２７、メモリカード２８、内蔵メモリ２９、キー入力部３０、ブレ検出部３１を備えている。図５で、レンズ光学系１２〜カラープロセス回路１８は本発明で撮像部に相当する。
【００３５】
撮影モードでのモニタリング状態においては、モータ（Ｍ）１１の駆動により合焦位置や絞り位置が移動され、上記撮影レンズ１を構成する光学系１２の撮影光軸後方に配置された撮像素子であるＣＣＤ１３が、タイミング発生器（ＴＧ）１４、垂直ドライバ１５によって走査駆動され、一定周期毎に結像した光像に対応する光電変換出力を１画面分出力する。
ＣＣＤ１３は被写体の二次元画像を撮像する固体撮像デバイスであり、典型的には毎秒数十フレームの画像を撮像する。なお、撮像素子はＣＣＤに限定されずＣＭＯＳ（Complementary Metal Oxide Semiconductor）などの固体撮像デバイスでもよい。
【００３６】
この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータに変換され、カラープロセス回路１８で画像補間処理及びγ補正処理を含むカラープロセス処理が行われて、デジタル値の輝度信号Ｙ及び色差信号Ｃｂ、Ｃｒが生成され、ＤＭＡ（Direct Memory Access）コントローラ１９に出力される。
【００３７】
ＤＭＡコントローラ１９は、カラープロセス回路１８の出力する輝度信号Ｙ及び色差信号Ｃｂ、Ｃｒを、同じくカラープロセス回路１８からの複合（composite）同期信号、メモリ書き込みイネーブル信号、及びクロック信号を用いて一度ＤＲＭＡインターフェイス（Ｉ／Ｆ）２０を介してバッファメモリとして使用されるＤＲＡＭ２１にＤＭＡ転送する。
【００３８】
制御部２２は、ＣＰＵと、後述するように撮影モード時の手ブレ検出に対する処理を含む該ＣＰＵで実行される動作プログラムを固定的に記憶したフラッシュメモリ等のプログラム格納メモリ、及びワークメモリとして使用されるＲＡＭ等により構成され、このデジタルカメラ１００全体の制御動作を司るものであり、上記輝度及び色差信号のＤＲＡＭ２１へのＤＭＡ転送終了後に、この輝度及び色差信号をＤＲＭＡインターフェイス２０を介してＤＲＡＭ２１から読出し、ＶＲＡＭコントローラ２３を介してＶＲＡＭ２４に書込む。
【００３９】
制御部２２は、撮影モードで、カメラの手ブレ（手ブレ量や方位）検出値からの手ブレ成分の算出、手ブレ状態の時系列表示等の実行制御等を行う。
例えば、ブレ検出部３１からの手ブレ（手ブレ量及び方位）検出信号により、カメラ本体の上下、前後、左右の手ブレ成分を算出し、算出した手ブレ成分をグラフ化して液晶モニタ画面５に表示させる（図１〜図３参照）。
【００４０】
制御部２２は、また、キー入力部３０からの状態信号に対応してフラッシュメモリ等のプログラム格納用メモリに格納されている各モードに対応の処理プログラムやメニューデータを取り出して、デジタルカメラ１００の他の各機能の実行制御、例えば、撮像や記録画像の再生機能の実行等を行なう他、機能選択時の機能選択メニューの表示やカーソルキー３等で指定された選択機能メニューや画像の選択決定の制御等を行う。
【００４１】
デジタルビデオエンコーダ２５は、上記輝度及び色差信号をＶＲＡＭコントローラ２３を介してＶＲＡＭ２４から定期的に読み出し、これらのデータを基にビデオ信号を生成して上記表示部２６に出力する。
【００４２】
表示部２６は、上述したように撮影モード時にはモニタ表示部（電子ファインダ）として機能するもので、デジタルビデオエンコーダ２５からのビデオ信号に基づいた表示を行うことで、その時点でＶＲＡＭコントローラ２３から取込んでいる画像情報に基づく画像をリアルタイムに表示することになる。
このように表示部２６にその時点での画像がモニタ画像としてリアルタイムに表示されているいわゆるスルー画像の表示状態で、静止画像表示を行いたいタイミングでキー入力部３０を構成するシャッターキー８（図４）を操作するとトリガ信号（撮影指示信号）を発生する。
【００４３】
制御部２２はこのトリガ信号に応じてその時点でＣＣＤ１３から取込んでいる１画面分の輝度及び色差信号のＤＲＡＭ２１へのＤＭＡ転送の終了後、直ちにＣＣＤ１３からのＤＲＡＭ２１への経路を停止し、記録保存の状態に遷移する。
【００４４】
この保存記録の状態では、制御部２２がＤＲＡＭ２１に書込まれている１フレーム分の輝度及び色差信号をＤＲＡＭインターフェイス２０を介してＹ、Ｃｂ、Ｃｒの各コンポーネント毎に縦８画素×横８画素の基本ブロックと呼称される単位で読み出してＪＰＥＧ（Joint Photograph cording Experts Group）回路２７に書込み、このＪＰＥＧ回路２７でＡＤＣＴ（Adaptive Discrete Cosine Transform：適応離散コサイン変換）、エントロピ符号化方式であるハフマン符号化等の処理によりデータ圧縮する。
そして得た符号データを１画像のデータファイルとしてＪＰＥＧ回路２７から読出し、デジタルカメラ１００の記録媒体として着脱自在に装着されるメモリカード２８か内蔵メモリ２９のいずれか一方に記録保存する。
そして１フレーム分の輝度及び色差信号の圧縮処理及びメモリカード２８または内蔵メモリ２９への全圧縮データの書込み終了に伴って、制御部２２はＣＣＤ１３からＤＲＡＭ２１への経路を再び起動する。
【００４５】
また、基本モードである再生モード時には、制御部２２がメモリカード２８又は内蔵メモリ２９に記録されている画像データを選択的に読出し、ＪＰＥＧ回路２７で画像撮影モード時にデータ圧縮した手順とまったく逆の手順で圧縮されている画像データを伸張し、伸張した画像データをＶＲＡＭコントローラ２３を介してＶＲＡＭ２４に展開して記憶させた上で、このＶＲＡＭ２４から定期的に読出し、これらの画像データを元にビデオ信号を生成して表示部２６で再生出力させる。
【００４６】
上記ＪＰＥＧ回路２７は複数の圧縮率に対応しており、圧縮率に対応させて記憶するモードには圧縮率の低い高解像度（一般に、高精細、ファイン、ノーマルなどと呼ばれる）に対応するモードと圧縮率の高い低解像度（一般にエコノミーなどと呼ばれる）モードがある。
また、高画素数から低画素数にも対応している。例えば、ＳＸＧＡ（１６００×１２００）、ＸＧＡ（１０２４×７８６）、ＳＶＧＡ（８００×６００）、ＶＧＡ（６４０×４８０）等と呼ばれる画素サイズがある。
【００４７】
キー入力部３０は、上述したモード選択キー２、カーソルキー３、及びセットキー４やシャッターキー８、電源キー９等から構成され、それらのキー操作に伴う信号は直接制御部２２に送出される。
モード選択キー２は図示の例ではスライドキーからなり、基本モードである撮影モード及び下位モードである動画撮影モード等の選択や、再生モード及びその下位モードである動画再生モード等の選択を行うことができる。
カーソルキー３は、通常はメニュー選択時等に行うカーソルの移動操作に用いられる。セットキー４は通常はカーソルキー３でのポイント結果の確認や設定値の確認等の際に用いられ、セットキー４を押すとカーソルキー３によるポイント結果が確定し、カーソル指定された処理が開始される。
また、シャッターキー８は、半押しと全押しの２段押し構造をなし半押して開放すると第１のトリガ信号（この場合は自動合焦指示信号）を出力し、全押して開放すると前述したように（第２の）トリガ信号（撮像指示信号）を出力する。
なお、動画撮影や動画再生等の各種撮影モードや再生モードの選択は専用キーを設けて行うようにしてもよい。
【００４８】
ブレ検出部３１は、公知の小型の方位及び振動検出装置を用いればよく、撮影時のデジタルカメラ１００の上下、左右、前後のブレ（ピッチ、ヨー、ロール）を検出してデジタル信号に変換した手ブレ（手ブレ量、手ブレ方向）検出信号を制御部２２に送出する。方位及び振動検出装置としては、例えば、上述したような２〜３個の角速度センサ／振動ジャイロを用いることができる。
なお、ブレ検出部３１を小型の方位及び振動検出装置とワンチップのマイクロコンピュータからなる手ブレ算出装置として構成し、算出したカメラ本体の手ブレ成分情報（ピッチ、ヨー、ロール情報）を制御部２２に送出するようにしてもよい。
また、ブレ検出部３１は振動（手ブレ量）だけを検出できる小型で安価なセンサ等の装置であってもよい。
また、ブレ検出部３１を、ＤＲＡＭ２１に取り込んだ前後の画像の比較対象域における画像の差を取得して手ブレ量を算出して循環的に記憶する機能を実現するワンチップのマイクロコンピュータとして構成するようにしてもよいし、ブレ検出部３１の代わりに、ＤＲＡＭ２１に取り込んだ前後の画像の比較対象域における画像の差を取得して手ブレ量を算出して循環的に記憶する機能を実現するプログラムをプログラム格納メモリに格納しておくようにしてもよい。
【００４９】
（手ブレ状態表示動作）
図６はデジタルカメラの手ブレ状態報知動作例を示すフローチャートである。以下に示す処理は基本的に制御部２２が予めフラッシュメモリ等のプログラムメモリに記憶されたプログラムに従って実行する例で説明するが、全ての機能をプログラムメモリに格納する必要はなく、必要に応じて、その一部若しくは全部をネットワークを介して受信して実現するようにしてもよい。以下、図４及び図５に示したデジタルカメラ１に本発明を適用した例について説明する。
【００５０】
撮影モードにおいて、制御部２２はその時点のズーム値に対応した焦点距離でＡＥ処理を実行し、ＣＣＤ１３から画像データを得ると共に自動ホワイトバランス（ＡＷＢ）処理により光源の色に対応したホワイトバランスになるようにカラープロセス回路１８で調整を施した上でＶＲＡＭ２４をＣＣＤ１３からの画像データを間引いたビデオスルー画像データで書き換えて表示部２６にスルー画像を表示する（ステップＳ１）。
【００５１】
ブレ検出部３１は、デジタルカメラ１００の上下、左右、前後のブレ（ピッチ、ヨー、ロール）を検出して検出信号（デジタル信号）を所定時間間隔で制御部２２に送出するので、制御部２２はブレ検出部３１から出力される手ブレ検出信号を受け取り（ステップＳ２）、表示する手ブレ成分（図１の表示例ではピッチ成分、図２の表示例ではピッチ成分、ヨー成分、及びロール成分、図３の例ではピッチ成分及びヨー成分）を取り出してグラフ値を生成し（ステップＳ３）、生成したグラフ値をＤＲＡＭ２１上に確保されるグラフ値記憶領域（図示せず）に記憶されている時系列グラフ値の最新値として循環記憶する。つまり、グラフ値記憶領域が一杯の場合は記憶領域がシフトされ最も古い値が消去される（ステップＳ４）。
【００５２】
次に、制御部２２は、グラフ値記憶領域に記憶されている時系列グラフ値をＶＲＡＭコントローラ２３を介してデジタルビデオエンコーダ２５に与えビデオ信号を生成させて表示部２６に出力させ、液晶モニタ画面５のグラフ表示欄に手ブレ状態（図１、図２の表示例ではグラフ表示欄５２、図３の表示例ではグラフ表示欄５２にピッチ成分、グラフ表示欄５３にヨー成分）を時系列グラフ（図１〜図３参照）として表示させる（ステップＳ５）。
【００５３】
制御部２２はキー入力部３０からの信号を調べ、シャッターキー８が半押しされた場合はステップＳ７に進み、押されていない場合はステップＳ１に戻る（ステップＳ６）。
【００５４】
次に、制御部２２は、所定のフォーカスエリアにピントが合うようにＡＦ（自動合焦）処理を行って合焦が終わると合焦位置をロックし（ステップＳ７）、シャッターキー８が全押し操作されたか否かを調べ、シャッターキー８が全押しされた場合はステップＳ９に進む。なお、図示されていないが合焦動作中もスルー画像は表示される（ステップＳ８）。
【００５５】
シャッターキー８が全押しされた場合は、制御部２２は、その時点でＣＣＤ１３から取込んでいる１画面分の画像データのＤＲＡＭ２１へのＤＭＡ転送の終了後、直ちにＣＣＤ１３からのＤＲＡＭ２１への経路を停止してスルー画像取得時とは異る本撮影時のＣＣＤ駆動方式への切替を実行して取込んだ画像データに画像圧縮処理を施した後、この画像データにＪＰＥＧ回路２７で圧縮処理を施させ、画像ファイル（圧縮画像データ）とシャッターキー全押し直前の手ブレ成分の値を関連付けて保存メモリ２８に記録保存して１枚分の画像データの撮影を終了する（ステップＳ９）。
【００５６】
上記図６のフローチャートに示した動作により、デジタルカメラ１００は手ブレを検出し、時系列に手ブレ状態を表示できるので、撮影者は手ブレの推移を把握しやすく、撮影指示（シャッターキー８の全押し）直前までにデジタルカメラ１００の手ブレが生じないようにカメラをしっかり保持するなどして意識的にデジタルカメラ１００を安定させることができる。
【００５７】
なお、上記図６に示したフローチャートでステップＳ２〜Ｓ４はステップＳ１の後段動作として示したが、実際にはスルー画像表示と並行して行うように構成することが望ましい。
【００５８】
＜変形例＞
上記図６のフローチャートでは、撮影時に表示されるスルー画像に手ブレ状態を示すグラフを時系列に表示することとしたが、撮影者は撮影直前に手ブレ状態を知れば、手ブレしないようにカメラを安定させて撮影できるので、オートフォーカス処理と撮影指示（シャッターキー全押し）の間にその時点から過去に遡って現在までの手ブレ状態を表示するようにしてもよい。
【００５９】
図７はデジタルカメラの手ブレ状態報知動作の他の実施例を示すフローチャートである。以下に示す処理は基本的に制御部２２が予めフラッシュメモリ等のプログラムメモリに記憶されたプログラムに従って実行する例で説明するが、全ての機能をプログラムメモリに格納する必要はなく、必要に応じて、その一部若しくは全部をネットワークを介して受信して実現するようにしてもよい。以下、図４及び図５に示したデジタルカメラ１に本発明を適用した例について説明する。
【００６０】
撮影モードにおいて、制御部２２はその時点のズーム値に対応した焦点距離でＡＥ処理を実行し、ＣＣＤ１３から画像データを得ると共に自動ホワイトバランス（ＡＷＢ）処理により光源の色に対応したホワイトバランスになるようにカラープロセス回路１８で調整を施した上でＶＲＡＭ２４をＣＣＤ１３からの画像データを間引いたビデオスルー画像データで書き換えて表示部２６にスルー画像を表示する（ステップＴ１）。
【００６１】
ブレ検出部３１は、デジタルカメラ１００の上下、左右、前後のブレ（ピッチ、ヨー、ロール）を検出して検出信号（デジタル信号）を所定時間間隔で制御部２２に送出するので、制御部２２はブレ検出部３１から出力される手ブレ検出信号を所定時間間隔毎に受け取り（ステップＴ２）、表示する手ブレ成分を取り出してグラフ値を生成し（ステップＴ３）、生成したグラフ値をＤＲＡＭ２１上に確保されるグラフ値記憶領域に記憶されている時系列グラフ値の最新値として記憶する。この際、グラフ値記憶領域が一杯の場合は記憶領域がシフトされ最も古い値が消去される（ステップＴ４）。
【００６２】
制御部２２はキー入力部３０からの信号を調べ、シャッターキー８が半押しされた場合はステップＴ６に進み、押されていない場合はステップＴ１に戻る（ステップＴ５）。
【００６３】
制御部２２は、グラフ値記憶領域に記憶されている時系列グラフ値をＶＲＡＭコントローラ２３を介してデジタルビデオエンコーダ２５に与えビデオ信号を生成させて表示部２６に出力させ、手ブレ状態を液晶モニタ画面５のグラフ表示欄に時系列グラフ（図１〜図３参照）として表示させると共に（ステップＴ６）、所定のフォーカスエリアにピントが合うようにＡＦ（自動合焦）処理を行ない（ステップＴ７）、ＡＦ処理が終わった場合は合焦位置をロックしてステップＴ１０に進み、そうでない場合はステップＴ９に進む。なお、図示されていないが合焦動作中もスルー画像は表示される（ステップＴ８）。
【００６４】
制御部２２は、上記ステップＴ２〜Ｔ４と同様の処理を行なって手ブレ成分のグラフ値を生成してＤＲＡＭ２１上のグラフ値記憶領域に循環的に記憶する（ステップＴ９）。
【００６５】
次に、制御部２２はシャッターキー８が全押し操作されたか否かを調べ、シャッターキー８が全押しされた場合はステップＴ１１に進み、そうでない場合はステップＴ９に戻る（ステップＴ１０）。
【００６６】
シャッターキー８が全押しされた場合は、制御部２２は、その時点でＣＣＤ１３から取込んでいる１画面分の画像データのＤＲＡＭ２１へのＤＭＡ転送の終了後、直ちにＣＣＤ１３からのＤＲＡＭ２１への経路を停止してスルー画像取得時とは異なる本撮影時のＣＣＤ駆動方式への切替を実行して取込んだ画像データに画像圧縮処理を施した後、この画像データとシャッターキー全押し直前の手ブレ成分の値を関連付けて保存メモリ２８に記録保存して１枚分の画像データの撮影を終了する（ステップＴ１１）。
【００６７】
上記図７のフローチャートに示した動作により、オートフォーカス時にのみ時系列に手ブレ状態を表示するので、撮影者は手ブレの推移と現状を把握しやすく、撮影指示までにデジタルカメラ１００の手ブレが生じないようにカメラをしっかり保持するなどして意識的にデジタルカメラ１００を安定させることができる。また、オートフォーカス時にのみグラフ表示を行うので、グラフが邪魔にならず、オートフォーカス処理前に行う構図決定がしやすい。
【００６８】
また、上記図６に示したフローチャートでステップＴ２〜Ｔ５はステップＴ１の後段動作として示したが、実際にはスルー画像表示と並行して行うように構成することが望ましい。また、図１乃至図３に示すような表示をさせるプログラムは種々あり上記図６および図７のフローチャートの例に限定されない。
【００６９】
また、上記図６及び図７のフローチャートではブレ検出部３１が手ブレ量及び方位を検出可能な装置である場合を例としたが、ブレ検出部３１が手ブレ量のみを検出できるセンサ等の簡易な装置（または手ブレ量のみを検出できるようプログラムされたマイクロコンピュータ若しくはプログラム）である場合は、ステップＳ２（Ｔ２）を、「ブレ検出部３１は、デジタルカメラ１００のブレ（手ブレ量）を検出して検出信号（デジタル信号）を所定時間間隔で制御部２２に送出するので、制御部２２はブレ検出部３１から出力される手ブレ検出信号を受け取り、」とし、ステップＳ３（Ｔ３）を、「表示する手ブレ量を取り出して手ブレ量のグラフ値を生成する。」とすればよい。
【００７０】
図８はカメラの手ブレ成分の説明図であり、カメラ２００の横方向をＸ軸とし、カメラ２００の中心を原点としてＸ軸に直交する縦軸をＹ軸、原点を通ってＸ軸、Y軸に直交する軸をＺ軸とすると、ピッチとはＺ軸を中心とした左右方向のブレ、ヨーとはＹ軸を中心とした左右のブレ、ロールとはＸ軸を中心とした上下のブレを意味する。
【００７１】
なお、上記実施例の説明では、スルー画像表示時に手ブレ量を示すグラフを表示するようにしたが、電源オン時、ハーフシャッター（シャッターキーの半押し）時、若しくは撮影モード時に常時グラフを表示するようにしてもよい。
【００７２】
また、上記実施例の説明では、手ブレ量の表示を行った後、手ブレ量と撮影画像を対応付けて記録するようにしたが、シャッター全押し直後または画像記録時に、手ブレ量を基に撮影を補正してブレの略ない画像として記録するようにできる。
【００７３】
また、上記実施例の説明では、静止画撮影を例としたが、本発明は動画撮影の場合にも適用できる。つまり、動画撮影モードにおいて、動画表示と並行して図６のステップＳ２〜Ｓ４と同様の処理を行うように動画撮影時の動作プログラムを構成し、動画を表示している画面の一部に手ブレ量を時系列に表示することができる。
【００７４】
また、パン、チルト操作での撮影時に本発明を適用することもできる。つまり、パン操作又はチルト操作と撮影指示の間に図６のステップＳ２〜Ｓ４と同様の処理、つまり、手ブレ検出、グラフ値生成、グラフ表示等を行うように動作プログラムを構成し、動画を表示している画面の一部に手ブレ量を時系列に表示することができる。
【００７５】
（実施形態２）
上記実施形態１ではデジタルカメラ１００は角度センサ／振動ジャイロのような振動検出装置からなるブレ検出部３１を備え、この手ブレ検出部３１で手ブレを検出し、検出結果をグラフ化して時系列的に表示することにより手ブレ状態を報知するようにしたが、手ブレ状態の報知方法はこれに限定されず、デジタルカメラ１００が振動検出装置からなるブレ検出部３１装置を備えていない場合にも手ブレ状態の報知を行うことができる。以下、図４、図９〜図１２に基づいて説明する。なお、本実施形態に係わる発明はデジタルカメラ１００が図４、図５に示すようにブレ検出部３１を備えていてもよいが、以下の説明では、デジタルカメラ１００は図４、図５でブレ検出部３１を備えていないものとする。
【００７６】
図９はデジタルカメラ１００の液晶モニタ画面５に表示されるスルー画像の例を示す図であり、図１０は、図９のスルー画像９０の部分画像の拡大画像をウインドウ表示した例を示す図である。図９および図１０で、符号９０はスルー画像、符号９１、９２はつり橋の橋脚、符号９３はつり橋、符号９４は海、符号９５は空を示す。
説明上、橋脚９１，９２は白く塗られており、空９５は曇天でうすく灰色がかっているものとし、撮影者は橋脚９１にピントを合わせて撮影しようとしているものとすると、橋脚９１の色が背景（曇天９５）に紛れるので、撮影者にとって図９のようなスルー画像９０を見ただけではブレがあるかどうかよく分からない場合がある。
【００７７】
ここで、図１０に示すようにスルー画像９０の部分画像（この例では橋脚９１の先端部の）拡大画像９６（スルー画像）をウインドウ９９に表示すると拡大画像９６とスルー画像の他の部分との比較が簡単にできるので、撮影者は手ブレ等のブレの有無を容易に視認できる。特に、ブレを判別しやすい先端や端部を拡大してブレが少ない被写体の中心部近傍にウインドウ表示すると、ブレの有無を判別しやすい。また、拡大画像９６の色彩等を強調表示するとスルー画像の他の部分との比較がしやすくなる。
なお、この例では、被写体の色彩が背景と紛らわしいものとして説明したが、そうでない場合であってもスルー画像にその部分画像を拡大してウインドウ表示することにより、スルー画像の他の部分との比較ができ、ブレの有無を判別できることはいうまでもない。
【００７８】
図１１はデジタルカメラ１００におけるブレ状態報知動作例を示すフローチャートである。以下に示す処理は基本的に制御部２２が予めフラッシュメモリ等のプログラムメモリに記憶されたプログラムに従って実行する例で説明するが、全ての機能をプログラムメモリに格納する必要はなく、必要に応じて、その一部若しくは全部をネットワークを介して受信して実現するようにしてもよい。以下、図４及び図５に示したデジタルカメラ１（ただし、ブレ検出部３１を備えていない）に本発明を適用した例について説明する。
【００７９】
撮影モードにおいて、制御部２２はその時点のズーム値に対応した焦点距離でＡＥ処理を実行し、ＣＣＤ１３から画像データを得ると共に自動ホワイトバランス（ＡＷＢ）処理により光源の色に対応したホワイトバランスになるようにカラープロセス回路１８で調整を施した上でＶＲＡＭ２４をＣＣＤ１３からの画像データを間引いたビデオスルー画像データで書き換えて表示部２６にスルー画像を表示すると共に、画面上の所定の位置にカーソルを表示する（ステップＵ１）。
【００８０】
撮影者はスルー表示されている画像の一部を拡大表示してウインドウ表示したい場合には、カーソルキー３を操作して表示されているスルー画像の拡大表示したい部分にカーソルを移動させてからセットキー４を押すので、制御部２２はキー入力部３０からの信号を調べ、セットキー４が押されるとステップＵ３に進み、そうでない場合はステップＵ１０に進む（ステップＵ２）。
【００８１】
拡大する画像部分が指定された場合は、制御部２２は上記ステップＵ２でセットキー４が押された時点でのカーソルの位置（画面５上の座標）を調べ、カーソル指定された位置を中心とした所定サイズの枠をスルー画像が表示されている画面５上に重畳表示する（ステップＵ３）。
【００８２】
次に、枠で囲まれた部分に相当する部分画像データをＤＲＡＭ２１から切出し（ステップＵ４）、切出した画像データに所定倍率（実施例では縦横各２倍）の拡大処理を施し（ステップＵ５）、拡大処理した画像データを色彩等を強調するようにカラープロセス回路１８で調整を施した上でＶＲＡＭ２４のビデオスルー画像データに重畳させるようにして表示部２６の画面上に表示されるスルー画像に重畳させて画面上の所定の部分（実施例では画面中央）にウインドウ表示する（ウインドウ内の拡大画像もスルー表示される）（ステップＵ６）。
【００８３】
撮影者は拡大表示指定された部分が所望の部分と異なっていたり、他の部分を拡大してみたいような場合にはカーソルキー３を操作して上記ステップＵ３で表示した枠を移動させるので、制御部２２はキー入力部２２からの信号を調べ、枠移動操作が行なわれたと判定した場合にはステップＵ４に戻り、そうでない場合には枠を消してステップＵ８に進む（ステップＵ７）。
【００８４】
撮影者はウインドウの表示位置を画面中央ではなく、所望の位置に表示したい場合にはカーソルキー３を操作して拡大された部分画像が表示されているウインドウを移動させるので、制御部２２はキー入力部３０からの信号を調べ、ウィンドウの移動操作が行なわれたと判定した場合にはステップＵ９に進み、そうでない場合にはステップＵ１０に進む（ステップＵ８）。
【００８５】
ウインドウの移動操作が行なわれた場合は、制御部２２は上記ステップＵ５で拡大処理した画像データを色彩等を強調するようにカラープロセス回路１８で調整を施した上でＶＲＡＭ２４のビデオスルー画像データに重畳させるようにして表示部２６の画面上に表示されるスルー画像に重畳させて移動後のウインドウ内に表示する（ステップＵ９）。
【００８６】
制御部２２はキー入力部３０からの信号を調べ、シャッターキー８が半押しされた場合はステップＵ１１に進み、押されていない場合はステップＵ１に戻る（ステップＵ１０）。
【００８７】
次に、制御部２２は、所定のフォーカスエリアにピントが合うようにＡＦ（自動合焦）処理を行って合焦が終わると合焦位置をロックする。なお、図示されていないが合焦動作中もスルー画像（拡大部分画像がウインドウ表示されている場合はそのウインドウも）表示される（ステップＵ１１）、シャッターキー８が全押し操作されたか否かを調べ、シャッターキー８が全押しされた場合はステップＵ１３に進む（ステップＵ１２）。
【００８８】
シャッターキー８が全押しされた場合は、制御部２２は、その時点でＣＣＤ１３から取込んでいる１画面分の画像データのＤＲＡＭ２１へのＤＭＡ転送の終了後、直ちにＣＣＤ１３からのＤＲＡＭ２１への経路を停止してスルー画像取得時とは異る本撮影時のＣＣＤ駆動方式への切替を実行して取込んだ画像データに画像圧縮処理を施した後、この画像データにＪＰＥＧ回路２７で圧縮処理を施させ、画像ファイル（圧縮画像データ）とシャッターキー全押し直前の手ブレ成分の値を関連付けて保存メモリ２８に記録保存して１枚分の画像データの撮影を終了する（ステップＵ１３）。
【００８９】
上記図１１のフローチャートに示した動作により、被写体を撮影する際に被取り込んだスルー画像が表示されている画面上に被写体の一部を拡大してウインドウ表示するので、手ブレ状態が増幅されて表示されることから、デジタルカメラ１００がブレるとウインドウ表示された画像が上下あるいは左右にゆれているように見えることから、撮影者は手ブレが生じていることを認識でき、カメラを構え直すなどしてブレを抑止することができる。したがって、デジタルカメラ１００に特にブレ検出用の装置を備えなくても手ブレの略ない画像を得ることができる。
【００９０】
また、スルー画像のうちの拡大表示する部分を指定できるので、ブレを判別しやすい先端や端部を拡大してウインドウ表示できる。また、ウインドウを画面中央に表示できるので、拡大された部分とスルー画像のうちブレの少ない中央部分との比較が簡単にでき、ブレの有無を判別しやすい。
【００９１】
また、ウインドウの表示位置を指定できるので、ウインドウを拡大された部分とスルー画像のうちブレの少ない中央部分との比較がしやすい部分に表示するとウインドウ内の拡大画像とスルー画像のうち拡大対象となった部分等との比較が容易になる。
【００９２】
＜変形例＞
本実施形態の説明では、拡大した部分画像を強調してウインドウ表示するようにしたが、部分画像の輪郭をウインドウ表示するようにしてもよい。
図１２はデジタルカメラ１００の液晶モニタ画面５に表示されるスルー画像と共に部分画像の輪郭の拡大画像をウインドウ表示した例を示す図である。
図１２に示すようにスルー画像９０の部分画像（この例では橋脚９１の先端部）の輪郭の拡大画像９７（スルー画像）をウインドウ９９に表示すると全体画像が複雑であったり、同じような画像の集合であったりしても、輪郭９７とスルー画像の他の部分との比較が簡単にできるので、撮影者は手ブレ等のブレの有無を容易に視認できる。更に、輪郭を太くしたり、黒色表示して強調表示するとスルー画像の他の部分との比較がしやすくなる。
【００９３】
図１３は本実施形態の変形例におけるデジタルカメラ１５０の電子回路構成の一実施例を示す図であり、図５に示した電子回路構成からブレ検出部３１を除き、輪郭抽出部３２を付加した例である。
図１３において、デジタルカメラ１５０のモータ１１〜表示部２６の機能及び構成は図５に示したモータ１１〜表示部２６の機能および動作と同様であり、輪郭抽出部３２は制御部２２の制御下で画像の輪郭を抽出して輪郭画像データを出力する。画像の輪郭抽出方法は公知の方法により行うことができる。
【００９４】
図１４はデジタルカメラ１５０におけるブレ状態報知動作の変形例を示すフローチャートであり、ステップＵ１〜Ｕ５およびステップＵ７〜Ｕ１３の動作は図１１に示したフローチャートの動作と同様である。
【００９５】
図１４で、（図１１のステップＵ５）で拡大処理された画像部分に輪郭抽出部３２で輪郭抽出を施させ、拡大された部分画像の輪郭を抽出させ（ステップＵ−６１）、輪郭線を強調するように太線化処理を施してから（ステップＵ６−２）、輪郭抽出した部分拡大画像データの色彩を黒色にするようにカラープロセス回路１８で調整を施した上でＶＲＡＭ２４のビデオスルー画像データに重畳させるようにして表示部２６の画面上に表示されるスルー画像に重畳させて画面上の所定の部分（実施例では画面中央）にウインドウ表示し、ステップＵ７に進む（ステップＵ６−３）。
【００９６】
なお、図１４の例ではステップＵ６−１で拡大された部分画像の輪郭を抽出するようにしたが、ステップＵ５の前段で、ステップＵ４で切出された部分画像の輪郭を抽出してから、ステップＵ５で輪郭の拡大処理を行って、図１４のステップＵ６−２以降の処理を行うようにしてもよい。また、ステップＵ４の前段で全体画像の輪郭を抽出してから、ステップＵ４で指定された部分の切出しを行い、ステップＵ５で拡大処理を行った後、ステップＵ６−１以降の処理を行うようにしてもよい。
【００９７】
また、図１１及び図１４に示すような表示をさせるプログラムは種々あり上記図１および図１４のフローチャートの例に限定されない。
【００９８】
（実施形態３）
上記実施形態２およびその変形例の説明では、デジタルカメラがブレ検出装置を備えていない場合を例としたが、本実施形態２に係る発明はデジタルカメラがブレ検出装置を備えていて、前記実施形態１のように時系列的にグラフ表示を行う機能を備えているカメラにおいてグラフ表示と拡大部分画像のウインドウ表示を共に行うようにしてもよい。
【００９９】
つまり、図６のフローチャートのステップＳ１〜Ｓ６のいずれかのステップとステップの間に図１１のフローチャートのステップＵ２〜Ｕ９の動作を行なうようにプログラムを構成すればよい。同様に、図７のフローチャートのステップＴ１〜Ｔ４のいずれかのステップとステップの間に図１１のフローチャートのステップＵ２〜Ｕ９の動作を行なうようにプログラムを構成してもよい。また、部分画像の輪郭の拡大画像を表示する場合は図１４に示したステップＵ６−１〜Ｕ６−３をテップＵ６に代えて実行するようにすればよい。
図１５（ａ）に図６のステップＳ１とＳ２の間に図１１のフローチャートのステップＵ２〜Ｕ９の動作を加えた例を示し、図１５（ｂ）に図６のステップＳ１とＳ２の間に図１１のフローチャートのステップＵ２〜Ｕ９の動作を加えた例を示す。
【０１００】
このようにすれば、撮影者は手ブレの経緯をグラフで確認し、必要に応じて拡大部分画像をウインドウ表示して視覚的にブレを確認し、ブレのないようにカメラの姿勢を保つようにできる。
【０１０１】
上記各実施例の説明では本発明をデジタルカメラに適用した場合を例としたが、本発明の適用範囲はカメラに限定されず、カメラ付き携帯電話機やカメラ付き携帯情報機器にも適用できる。
【０１０２】
以上、本発明のいくつかの実施例について説明したが本発明は上記各実施例に限定されるものではなく、種々の変形実施が可能であることはいうまでもない。例えば、カメラという用語は、デジタルカメラ等の電子カメラだけでなく銀塩カメラも含む。
【符号の説明】
【０１０３】
３  カーソルキー
４  セットキー
５  液晶モニタ画面（画面）
２１  ＤＲＡＭ（時系列グラフ記憶手段）
２２  制御部（グラフ値取得手段、グラフ値記憶手段、グラフ表示手段）
２６  表示部（グラフ表示手段）
２８  メモリカード（記録メモリ）
２９  内蔵メモリ（記録メモリ）
３１  ブレ検出部（手ブレ検出手段）
３２  輪郭抽出部（輪郭抽出手段）
５１  被写体
１００、１５０  デジタルカメラ（カメラ）
２００  カメラ
【図１】
2010279051.tif 000003
【図２】
2010279051.tif 000004
【図３】
2010279051.tif 000005
【図４】
2010279051.tif 000006
【図５】
2010279051.tif 000007
【図６】
2010279051.tif 000008
【図７】
2010279051.tif 000009
【図８】
2010279051.tif 000010
【図９】
2010279051.tif 000011
【図１０】
2010279051.tif 000012
【図１１】
2010279051.tif 000013
【図１２】
2010279051.tif 000014
【図１３】
2010279051.tif 000015
【図１４】
2010279051.tif 000016
【図１５】
2010279051.tif 000017